(57)【要約】【課題】ＡＦＥの発熱を抑えるために原稿と原稿の間でＡＦＥを低電力モードに遷移させようとすると、スループットが低下してしまう。【解決手段】原稿が搬送される搬送路と、前記原稿の画像を読み取る読取手段と、前記原稿を前記読取手段に搬送する搬送手段とを備え、前記読取手段は、光を原稿に照射する発光素子と、原稿からの反射光を受光してアナログ画像信号を出力する受光素子と、前記受光素子から出力される前記アナログ画像信号を取り込み、デジタル画像信号に変換して出力するアナログフロントエンドと、電気回路を構成し、前記発光素子と前記受光素子と前記アナログフロントエンドが実装される電気回路基板とを有し、前記搬送手段で搬送可能な最小幅の原稿が通過する最小原稿通過領域に前記アナログフロントエンドの少なくとも一部が重なるよう前記電気回路基板を配置すること特徴とする画像読取装置。【選択図】図７
2018186459.tif 000002
【特許請求の範囲】
【請求項１】
原稿が搬送される搬送路と、
前記原稿の画像を読み取る読取手段と、
前記原稿を前記読取手段に搬送する搬送手段と
を備え、
前記読取手段は、
光を原稿に照射する発光素子と、
原稿からの反射光を受光してアナログ画像信号を出力する受光素子と、
前記受光素子から出力される前記アナログ画像信号を取り込み、デジタル画像信号に変換して出力するアナログフロントエンドと、
電気回路を構成し、前記発光素子と前記受光素子と前記アナログフロントエンドが実装される電気回路基板と
を有し、
前記搬送手段で搬送可能な最小幅の原稿が通過する最小原稿通過領域に前記アナログフロントエンドの少なくとも一部が重なるよう前記電気回路基板を配置すること特徴とする画像読取装置。
【請求項２】
前記最小原稿通過領域は前記読取手段の主走査方向の中央位置を含むことを特徴とする請求項１に記載の画像読取装置。
【請求項３】
前記搬送手段は、前記読取手段の上流側近傍と下流側近傍に配置される複数の搬送ローラにより構成され、
前記搬送ローラは前記最小原稿通過領域に少なくとも一部が重なるように配置されることを特徴とする請求項１乃至２に記載の画像読取装置。
【請求項４】
前記発光素子により照射され前記原稿から反射する光以外が遮光されるよう前記電気回路基板を保持するフレーム部材と、
前記搬送路の一部を形成する金属面と
を有し、
前記金属面が前記アナログフロントエンドの近傍まで延伸して前記フレーム部材と接続されることを特徴とする請求項１乃至３のいずれか一項に記載の画像読取装置。
【請求項５】
前記読取手段は、前記原稿の画像を読み取る通常状態と電力の消費を低減する低電力状態とを切り替え可能であり、
原稿と原稿との間で前記読取手段を前記低電力状態へ遷移させてから通常状態へ復帰させるまでのウェイト時間を原稿１枚ごとに設定し、前記ウェイト時間が設定されているときには前記搬送手段により前記原稿を給送するタイミングを遅らせるよう制御する制御手段とを有することを特徴とする請求項１乃至４のいずれか一項に記載の画像読取装置。
【請求項６】
前記制御手段は、前記読取手段により複数枚の原稿を連続的に読み取る一連の連続読取動作にかかる連続読取時間が所定時間に達するまでは前記ウェイト時間を設定しないことを特徴とする請求項５に記載の画像読取装置。
【請求項７】
前記制御手段は、前記読取手段により複数枚の原稿を連続的に読み取る一連の連続読取動作における連続読取枚数が所定枚数に達するまでは前記ウェイト時間を設定しないことを特徴とする請求項５記載の画像読取装置。
【請求項８】
前記制御手段は、前記連続読取枚数が所定枚数に達した後から前記連続読取動作を終えるまでの原稿に対して前記ウェイト時間として設定することを特徴とする請求項７に記載の画像読取装置。
【請求項９】
前記搬送手段で搬送される原稿の搬送方向の長さである原稿長さを検知する原稿長さ検知手段と、
前記搬送手段で搬送される原稿の主走査方向の長さである原稿幅を検知する原稿幅検知手段と
を備え、
前記制御手段は、前記原稿長さと前記原稿幅に基づいて前記ウェイト時間を設定することを特徴とする請求項５乃至８のいずれか一項に記載の画像読取装置。
【請求項１０】
前記制御手段は、前記原稿長さ検知手段が検知した前記原稿長さが短いほど前記ウェイト時間を長くし、さらに、前記原稿幅検知手段が検知した前記原稿幅が短いほど前記ウェイト時間を長く設定することを特徴とする請求項９に記載の画像読取装置。
【請求項１１】
前記読取手段は、前記読取手段の温度を検知する温度検知手段を有し、
前記温度が所定温度を超えていたら前記ウェイト時間を設定することを特徴とする請求項５乃至１０のいずれか一項に記載の画像読取装置。
【請求項１２】
前記制御手段は、前記読取手段により複数枚の原稿を連続的に読み取る一連の連続読取動作が終了したときに前記読取手段を前記低電力状態に遷移させることを特徴とする請求項５乃至１１のいずれか一項に記載の画像読取装置。
【請求項１３】
前記搬送路へ原稿を給送する給送手段を備え、
前記制御手段は、前記ウェイト時間が設定されているとき、前記給送手段を一時停止させて原稿が前記搬送手段へ給送されるのを遅らせるよう制御することを特徴とする請求項５乃至１２のいずれか一項に記載の画像読取装置。
【請求項１４】
前記搬送路へ原稿を給送する給送手段を備え、
前記制御手段は、前記ウェイト時間が設定されているとき、前記給送手段による原稿の給送速度を前記ウェイト時間が設定されていないときよりも遅くするよう制御することを特徴とする請求項５乃至１３記載の画像読取装置。
【請求項１５】
前記制御手段は、前記読取手段が前記低電力状態でも前記搬送手段を動作させることを特徴とする請求項５乃至１４記載の画像読取装置。
【発明の詳細な説明】
【技術分野】
【０００１】
本発明は、シートフィード型ドキュメントスキャナや複写機などの原稿を１枚１枚分離して搬送し、原稿上の画像を読み取る画像読取装置に関する。
【背景技術】
【０００２】
従来、シートフィード型の画像読取装置では、原稿台に置かれた原稿束から１枚１枚分離して給紙し、ライン状の読取センサによって１ラインずつアナログ画像信号を読み取り、Ａ／Ｄ変換回路を含むアナログフロントエンド（ＡＦＥ）によりデジタル画像信号に変換している。ＡＦＥの消費電力は高く、温度上昇しやすい部品でもある。近年の画像読取装置は小型化の要求が強いため、読取センサの受光センサが実装されている基板と同一の基板上にＡＦＥを実装することがあり、ＡＦＥの発熱が受光センサに及ぼす影響が大きくなっている。
【０００３】
さらに、読取センサ自身も小型になる傾向があるため読取センサの温度上昇が大きくなり、受光センサが受ける温度変化による画質への影響のみならず、光を受光センサに導くロッドレンズアレイの性能劣化や読取センサの寿命の低下に繋がる可能性もあった。そこで、ＡＦＥの温度上昇を抑えるために、搬送している原稿と原稿との間でＡＦＥを低電力モードに遷移させる方法が提案されている（例えば、特許文献１）。
【０００４】
特許文献１では、ＡＦＥは低電力モードを有しており、低電力モードをオンにするとＡＦＥの増幅回路とＡＤ変換回路への電力供給を遮断し、消費電力を低減できる。先行する原稿の後端が読取位置を通過してから後行する原稿の先端が読取位置に到達するまでの間、低電力モードをオンするという構成が提案されている。
【先行技術文献】
【特許文献】
【０００５】
【特許文献１】特開２０１１−２５４１６７号公報
【発明の概要】
【発明が解決しようとする課題】
【０００６】
しかし、画像読取装置のスループットを向上させるためには、原稿と原稿の間隔をより短くする必要があるため常に読取センサを動作させる必要があり、原稿間でＡＦＥを低電力モードに遷移させることができない。
【０００７】
加えて、原稿のサイズ検知や斜行補正を画像処理により実施する場合、原稿の先端から後端までの長さに一定マージンを加算した長さを読み取る必要がある。そうすると、原稿と原稿の間であっても画像読取を続ける必要があり、ＡＦＥを低電力モードに遷移することは難しい。
【０００８】
また、ＡＦＥを低電力モードから復帰させるためには数十ｍｓｅｃ程度の時間がかかるため、低電力モードからの復帰後すぐに読み取りを始めるときに、原稿先端を読み取るのに間に合うようにするためには、低電力モードからの復帰にかかる時間を考慮して原稿と原稿の間隔を広げておかなければならない。
【０００９】
このように、原稿と原稿の間でＡＦＥを低電力モードに遷移させるためには意図的に原稿の間隔が長くなるよう制御する必要があるが、そうすると画像読取装置のスループットが低下してしまう。
【課題を解決するための手段】
【００１０】
上述した課題を鑑み、本発明の画像読取装置は、
原稿が搬送される搬送路と、
前記原稿の画像を読み取る読取手段と、
前記原稿を前記読取手段に搬送する搬送手段と
を備え、
前記読取手段は、
光を原稿に照射する発光素子と、
原稿からの反射光を受光してアナログ画像信号を出力する受光素子と、
前記受光素子から出力される前記アナログ画像信号を取り込み、デジタル画像信号に変換して出力するアナログフロントエンドと、
電気回路を構成し、前記発光素子と前記受光素子と前記アナログフロントエンドが実装される電気回路基板と
を有し、
前記搬送手段で搬送可能な最小幅の原稿が通過する最小原稿通過領域に前記アナログフロントエンドの少なくとも一部が重なるよう前記電気回路基板を配置すること特徴とする画像読取装置。
【発明の効果】
【００１１】
電気回路基板には読取センサの受光素子が実装されるため、電気回路基板は原稿の搬送面に近い位置に配置される。その電気回路基板にＡＦＥを実装することで、ＡＦＥの発熱が搬送面まで伝わりやすくなるが、最小幅の原稿が通過する領域にＡＦＥが配置されることで、原稿に対して熱を伝達し、原稿が通過した領域の搬送面の温度は低下し、結果としてＡＦＥの温度上昇を抑えることができる。
【００１２】
また、最小原稿通過領域を主走査方向の中央を含むようにすることで、ＡＦＥにおける主走査方向の両方向に均一に熱が拡散するため、熱による受光素子の特性の変化が均一化して画像への影響を小さくできる。
【図面の簡単な説明】
【００１３】
【図１】本発明の一実施形態に係る画像読取装置の概略図。
【図２】本発明の一実施形態に係る画像読取装置のブロック図。
【図３】本発明の一実施形態に係る画像読取ユニットとその周辺の断面図。
【図４】本発明の一実施形態に係る画像読取ユニット内の基板の概略図。
【図５】画像読取ユニットとその周辺の斜視図。
【図６】本発明の一実施形態に係る画像読取ユニットのブロック図。
【図７】本発明の一実施形態に係る画像読取ユニットとその周辺の搬送面視図。
【図８】コンタクトガラスの主走査方向の温度分布。
【図９】実施例２における画像読取ユニットとその周辺の断面図。
【図１０】実施例３に係る画像読取装置の動作を示すフローチャート。
【図１１】実施例４に係る画像読取装置の動作を示すフローチャート。
【図１２】実施例４におけるウェイト時間を決定するグラフ。
【図１３】実施例５に係る画像読取装置の動作を示すフローチャート。
【図１４】実施例４の別の形態におけるウェイト時間を決定するグラフ。
【図１５】実施例４の形態におけるコンタクトガラスの主走査方向の温度分布。
【発明を実施するための形態】
【００１４】
（実施例１）
図１は本発明の一実施形態に係る画像読取装置Ａの概略図である。
【００１５】
＜装置の構成＞
画像読取装置Ａは、載置台１に積載された一又は複数の原稿束Ｓを１枚ずつ装置内に経路ＲＴにて搬送してその画像を読み取り、排出トレイ２に排出する装置である。読み取る原稿束Ｓは、例えば、ＯＡ紙、チェック、小切手、名刺、カード類等の原稿であり、厚手の原稿であっても、薄手の原稿であってもよい。カード類は、例えば、保険証、免許証、クレジットカード等を挙げることができる。
【００１６】
＜載置台＞
載置台１には原稿束Ｓが載置されたことを検知するための載置台原稿検出センサ１１０が設けられている。載置台原稿検出センサ１１０は発光素子と受光素子からなる反射型光学センサであり、原稿束Ｓが載置台１に載置されることで、原稿束Ｓで反射された発光素子の光を受光し原稿束Ｓを検出する。
【００１７】
＜給紙＞
経路ＲＴに沿って原稿束Ｓを給送する給送機構としての第１搬送部１０が設けられている。第１搬送部１０は本実施形態の場合、送りローラ１１と、送りローラ１１に対向配置される分離ローラ１２と、を備え、載置台１上の原稿束Ｓを搬送方向Ｄ１に一枚ずつ順次搬送する。送りローラ１１には、給紙モータ３から伝達部５を介して駆動力が伝達され、図中矢印方向（経路ＲＴに沿って原稿を搬送させる正方向）に回転駆動される。伝達部５は例えば電磁クラッチであり、給紙モータ３からの送りローラ１１への駆動力を断続する。
【００１８】
＜駆動部＞
給紙モータ３と送りローラ１１とを接続する伝達部５は、例えば、本実施形態では、通常時において駆動力が伝達される状態とし、原稿の逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１９】
＜分離構造＞
送りローラ１１に対向配置される分離ローラ１２は、原稿束Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。分離ローラ１２は、トルクリミッタ１２ａを介して給紙モータ３から駆動力が伝達され、実線矢印方向（送りローラ１１の正方向とは逆方向））に回転駆動される。
【００２０】
分離ローラ１２はトルクリミッタ１２ａにより駆動力伝達が規制されるため、送りローラ１１と当接している際は送りローラ１１に連れ回りする方向（破線矢印方向）に回転する。これにより、複数の原稿が送りローラ１１と分離ローラ１２との圧接部に搬送されてきた際には、１枚を残して２枚以上の原稿が下流に搬送されないようにせき止められる。
【００２１】
また、不図示の分離設定部から分離動作を行わない非分離モードが選択された場合は、給紙モータ３からの駆動力の伝達がＯＦＦされ、分離ローラ１２は圧接している送りローラ１１に従動して回転する状態となり、分離はＯＦＦされる。
【００２２】
本実施形態においては、分離機構として分離ローラ１２を設けたが、分離ローラ１２のような構成の代わりに、原稿に摩擦力を付与する分離パッドを送りローラ１１に圧接させて、同様の分離作業を持たせるようにしてもよい。
【００２３】
＜搬送構造＞
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた原稿をその下流側へ搬送する。駆動ローラ２１にはモータ等の搬送モータ４から駆動力が伝達され、図中矢印方向に回転駆動される。従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。この駆動ローラ２１と従動ローラ２２で搬送ローラ部を構成している。
【００２４】
このような第２搬送部２０よりも搬送方向下流側にある第３搬送部３０は、駆動ローラ３１と、駆動ローラ３１に従動する従動ローラ３２とを備え、第２搬送部２０から搬送されてきた原稿を排出トレイ２へ搬送する。つまり、この第３搬送部３０は排出機構として機能する。駆動ローラ３１にはモータ等の搬送モータ４から駆動力が伝達され、図中矢印方向に回転駆動される。従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００２５】
排出トレイ２は、画像読取装置Ａに対して回動可能なように、画像読取装置Ａの下方に設けられた第１ヒンジ２ｃを介して軸支されている。また、第１ヒンジ２ｃ側の第１排出トレイ２ａとその先端側に接続された第２排出トレイ２ｂとから構成されており、第２排出トレイ２ｂは第１排出トレイ２ａに対して回動可能に軸支されている。
【００２６】
＜画像読取構造、制御＞
ここで、本実施形態の画像読取装置Ａでは、第２搬送部２０と第３搬送部３０との間に配置される画像読取ユニット７０によって画像の読み取りを行うため、第２搬送部２０及び第３搬送部３０は原稿を定速搬送する。搬送速度は常に第１搬送部１０の搬送速度以上とすることで、先行する原稿に後続の原稿が追いついてしまう事態を確実に回避できる。例えば、本実施形態では、第２搬送部２０及び第３搬送部３０による原稿の搬送速度を、第１搬送部１０による原稿の搬送速度よりも速くなるように速度制御するようにした。
【００２７】
なお、第２搬送部２０及び第３搬送部３０による原稿の搬送速度と、第１搬送部１０による原稿の搬送速度とを同一条件とした場合でも、給紙モータ３を制御して後続原稿の給送開始タイミングを間欠的にずらすことにより先行原稿と後続原稿との間に最低限の間隔を形成することも可能である。
【００２８】
＜重送検出＞
第１搬送部１０と第２搬送部２０との間に配置される重送検出センサ４０は、静電気等で紙などの原稿同士が密着し、第１搬送部１０を通過してきた場合（つまり重なって搬送される重送状態の場合）に、これを検出するための検出センサ（原稿の挙動や状態を検出するセンサ）の一例である。重送検出センサ４０としては、種々のものが利用可能であるが本実施形態の場合には超音波センサであり、超音波の発信部とその受信部とを備え、紙等の原稿が重送されている場合と１枚ずつ搬送されている場合とで、原稿を通過する超音波の減衰量が異なることを原理として重送を検出する。
【００２９】
＜レジストセンサ＞
原稿検出センサ５０は第２搬送部２０よりも上流側で、第１搬送部１０よりも下流側に配置された上流側の検出センサ（原稿の挙動や状態を検出するセンサ）としての一例であり、第１搬送部１０により搬送される原稿の位置、詳細には、原稿検出センサ５０の検出位置に原稿の端部が到達又は通過したか否かを検出する。原稿検出センサ５０としては、種々のものが利用可能であるが、本実施形態の場合には光学センサであり、発光部５１とその受光部５２とを備え、原稿の到達又は通過により受光強度（受光量）が変化することで原稿を検出する。
【００３０】
本実施形態の場合、原稿の先端が原稿検出センサ５０で検出されると、原稿が重送検出センサ４０により重送を検出可能な位置に到達しているように、上記の原稿検出センサ５０は重送検出センサ４０の近傍においてその下流側に設けられている。なお、この原稿検出センサ５０は、上記の光学センサに限定されず、例えば、原稿の端部が検知できるセンサ（イメージセンサ等）を用いてもよいし、経路ＲＴに突出したレバー型のセンサでもよい。
【００３１】
原稿の先端が原稿検出センサ５０に到達すると当該原稿が間もなく駆動ローラ２１に到達することが分かる。このときに給紙モータ３を継続して駆動し続けると原稿は駆動ローラ２１に到達し、原稿は一定速度で搬送される。
【００３２】
原稿検出センサ５０とは別の原稿検出センサ６０が画像読取ユニット７０よりも上流側に配置されている。第２搬送部２０よりも下流側に配置された検出センサとしての一例であり、第２搬送部２０により搬送される原稿の位置を検出する。原稿検出センサ６０としては、種々のものが利用可能であるが、本実施形態の場合、原稿検出センサ５０と同様に光センサであり、発光部６１と受光部６２とを備え、原稿の到達又は通過により受光強度（受光量）が変化することを原理として原稿を検出する。
【００３３】
＜ＣＩＳの配置＞
原稿検出センサ６０よりも下流側にある画像読取ユニット７０は、例えば、光学的に走査し、電気信号に変換して画像データとして読み取るものである。本実施形態の場合、画像読取ユニット７０は経路ＲＴの両側に一つずつ配置されており、原稿の表裏面を読み取る。しかし、経路ＲＴの片側にのみ一つ配置して、原稿の片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００３４】
背景切替モータ７７は、画像読取ユニット７０の一部を移動させて読取位置を変更し、原稿を読み取るときの背景を白色/黒色に切り替える。
【００３５】
＜ＰＣからの開始指示受信による駆動＞
画像読取装置Ａの基本的な動作について説明する。制御部８０は、例えば画像読取装置Ａが接続されたホストＰＣから画像読み取りの開始指示を受信すると、第１乃至第３搬送部１０乃至３０の駆動を開始する。載置台１に積載された原稿束Ｓはその最も下に位置する原稿から１つずつ搬送される。
【００３６】
＜レジストセンサの出力に応じた読取開始＞
制御部８０は、原稿検出センサ６０の検出結果に基づくタイミングで、第２搬送部２０により搬送されてきた原稿の、画像読取ユニット７０による画像の読み取りを開始し、読み取った画像を一次記憶して順次ホストＰＣへ送信する。画像が読み取られた原稿は第３搬送部３０により排出トレイ２に排出されてその原稿の画像読取処理が終了する。
【００３７】
＜排紙構造＞
排出トレイ２は、画像読取装置Ａに対して回動可能なように、画像読取装置Ａの下方に設けられた第１ヒンジ２ｃを介して軸支されており、第１排出トレイ２ａ及び第２排出トレイ２ｂによって本体前面を覆うように構成されている。
【００３８】
＜表示パネルの構成＞
第２排出トレイ２ｂの収納状態において、第２排出トレイ２ｂと重なる位置に設けられた表示パネル９０には、表示画面が配置されている。
【００３９】
＜全体ブロック図の説明＞
図２を参照して画像読取装置Ａのブロック図について説明する。
【００４０】
制御部８０はＣＰＵや周辺機能を備えたマイコン等のデバイスで、周辺機能として記憶部１８２、操作部１８３、通信部１８４等を備える。制御部８０は記憶部１８２に記憶されたプログラムを実行することにより、画像読取装置Ａ全体の制御を行う。記憶部１８２は例えばＲＡＭ、ＲＯＭ等から構成される。操作部１８３は、例えば、スイッチや表示パネル９０に設けられたタッチパネル等で構成され、操作者からの操作を受け付ける。
【００４１】
通信部１８４は、外部装置との情報通信を行うインターフェースである。外部装置としてＰＣ（パソコン）を想定した場合、通信部１８４としては、例えば、ＵＳＢインターフェースやＳＣＳＩインターフェースを挙げることができる。また、このような有線通信のインターフェースの他、通信部１８４は無線通信のインターフェースとしてもよく、有線通信、無線通信の双方のインターフェースを備えていてもよい。
【００４２】
画像読取ユニット７０は、制御部８０から各種設定情報を受け取り、読み取った画像データを画像処理部８４に送信する。電源制御部６８は、画像読取ユニット７０への電源供給/遮断を制御する。画像処理部８４では、得られた画像データの明るさを調整するなど画像データに様々な画像処理を施しつつ、並行して、画像から原稿端部を検出することで原稿サイズを検知することができる。画像メモリ１８１は画像処理部８４で処理された画像データを格納できる。画像メモリ１８１に一旦蓄えられた画像データは、不図示のＤＭＡＣ（Ｄｉｒｅｃｔ  Ｍｅｍｏｒｙ  Ａｃｃｅｓｓ  Ｃｏｎｔｒｏｌｌｅｒ）等により制御部８０を介さずに直接通信部１８４に送られる。
【００４３】
また、給紙モータ３を駆動するための駆動制御部８９、搬送モータ４を駆動させるための駆動制御部８８、背景切替モータ７７を駆動するための駆動制御部８７、重送の発生を検出する重送検出センサ４０、原稿の到達を検出する原稿検出センサ５０、６０、載置台１上に原稿が積載されていることを検出する載置台原稿検出センサ１１０を有している。
【００４４】
表示パネル９０には本実施例では液晶パネルを用い、読み取った画像データを表示可能な構成としたが、画像読取装置Ａの外部に接続されたホストＰＣ等の表示装置を用いても構わない。その場合には、その表示装置を含んだ全体のシステムが画像読取装置Ａとして見做される。
【００４５】
＜スリープモードの説明＞
画像読取装置Ａでは待機状態のときの消費電力を低減するためにスリープモードを有している。電源ＯＮ後や原稿読み取りの終了後など、待機状態に入ってから一定時間経過するとスリープモードに遷移する。スリープモードからの復帰は、ホストＰＣなどから通信部１８４を介して復帰の命令を受け取ったときや、ユーザーにより操作部１８３を操作されたときに限定し、これら以外の機能は電力を消費しないように制御する。スリープモードでは、画像読取ユニット７０には電源制御部６８を制御して電源供給を遮断し、表示パネル９０は非表示、画像処理部８４は無効化するよう制御する。
【００４６】
＜画像読取ユニットの構成＞
【００４７】
画像読取ユニット７０とその周辺は図３（ａ）のように構成している。画像読取ユニット７０は、原稿の表面を読み取る画像読取ユニット７０ａと原稿の裏面を読み取る画像読取ユニット７０ｂとから成る。なお、載置台１が傾斜しており、載置台１に接する原稿から順に給紙されるため、載置台１に接する下側の面が表面となる。
【００４８】
原稿の表面の画像を読み取る画像読取ユニット７０ａは、読取センサ６９ａと、搬送する原稿の進行を案内しつつ光を透過させるコンタクトガラス７１ａ、コンタクトガラス７１ａと一体となって読取センサ６９ａのカバーとなる読取ユニットカバー７２ａとから構成される。コンタクトガラス７１ａと読取ユニットカバー７２ａは画像読取ユニット７０ａ内に搬送原稿の紙粉や埃などが入り、読み取り画像に影響を与えないように不図示の電気ケーブルを除いては密封されている。
【００４９】
読取センサ６９ａは、光を照射する発光素子である光源９９ａ、光源９９ａからの光を導光して搬送される原稿にライン状に光を照射するライン状の不図示の導光体、ライン状に配置され原稿等からの反射光を受光する受光素子であるイメージセンサ９１ａを有している。また、光源９９ａからの照射光が原稿などから反射してきてイメージセンサ９１ａまで導くレンズアレイ７５ａ、イメージセンサ９１ａで受光したアナログ画像信号をデジタル画像信号に変換して出力するアナログフロントエンド（ＡＦＥ）９３ａ、光源９９ａの点灯を制御する光源点灯部９２などによって、画像信号を取得する。
【００５０】
さらに、イメージセンサ９１ａ、ＡＦＥ９３ａ、光源９９ａ、光源点灯部９２が実装されて電気回路を形成する電気回路基板である基板７４ａと、基板７４ａ、レンズアレイ７５ａ、導光体１０３を保持する読取ユニットフレーム７３ａと、読取ユニットフレーム７３ａに貼り付けられて対向側にある画像読取ユニット７０ｂによる読み取りのときに背景となる白色の背景板７６ａと、それらを覆い、イメージセンサ９１ａに対して光源９９によって照射された光以外が遮光されるようにする読取ユニットカバー７２から読取センサ６９ａが構成される。
【００５１】
読取ユニットフレーム７３ａは、光源９９ａから照射される光が原稿から反射されてくる光以外を遮光するため、レンズアレイ７５ａの周囲を囲うように構成している。これにより、対向側の画像読取ユニット７０ｂからの照射光や画像読取装置Ａ外部からの外乱光をイメージセンサ９１ａが受光しないようになっている。
【００５２】
また、図４に基板７４上の部品配置を示す。イメージセンサ９１はライン状に配置する。ＡＦＥ９３はイメージセンサ９１の走査方向である主走査方向のほぼ中央に位置するように基板７４上でもほぼ中央に配置する。また、ＡＦＥ９３は搬送面に近い側の基板面に配置する。これらにより、ＡＦＥ９３の発熱を基板７４に効率良く拡散させつつ、ＡＦＥ９３の表面からも搬送面に熱を伝えやすくなる。
【００５３】
基板７４の裏側にはコネクタ１０２があり、制御部８０からの制御信号や電源供給を受ける不図示のケーブルが接続される。光源９９は基板７４の端に配置し、不図示のライン状の導光体により光をライン状に照射する。光源９９付近には光源点灯部９２を配置し、その付近にコネクタ１０２が配置される。
【００５４】
図５は駆動ローラ２１、３１、従動ローラ２２、３２、読取センサ６９ａ、６９ｂ、搬送されている原稿Ｓ１の位置関係を示す斜視図である。ＡＦＥ９３ｂは図５では点線で示しており、基板７４ｂの搬送面側に実装されている。またＡＦＥ９３ｂは主走査方向の中央にあり、かつ、搬送される原稿Ｓ１の通過する位置に配置される。
【００５５】
以上説明した内容は、画像読取ユニット７０ｂについても原稿の裏面を読み取ること以外は同様であるため説明を省略する。但し、画像読取ユニット７０ｂの配置は、画像読取ユニット７０ａに対して搬送路を挟んで上下逆であり、搬送方向の前後については逆向きに配置されている。
【００５６】
＜画像読取ユニットの背景切替＞
画像読取装置Ａで読み取る画像の背景は白色と黒色を切り替えることができる。図３（ａ）の画像読取ユニット７０ａは背景切替モータ７７を備え、読取センサ６９ａを搬送方向に移動させることで背景を切り替える。図３（ａ）では光源９９ａの光は対向側にある読取センサ６９ｂの白色の背景板７６ｂで反射した後イメージセンサ９１ａで受光するため、原稿が通過していないときの画像は白色になる。背景切替モータ７７を駆動すると読取センサ６９ａが下流側に移動し、図３（ｂ）のようになる。読取センサ６９ａの光源９９ａの反射光はイメージセンサ９１ａには受光されないため、原稿が通過していないときの画像は黒色になる。読取センサ６９ｂについても同様である。
【００５７】
＜読取センサのブロック図の説明＞
図６を参照して読取センサ６９のブロック図について説明する。
【００５８】
光源９９はＬＥＤなどで構成されている。ＬＥＤドライバＩＣなどで構成される光源点灯部９２で、点灯信号に応じて光源９９を駆動する。イメージセンサ９１は光電変換素子がライン状に配列され、スタート信号に同期して１ラインの画像を読み取る。ＡＦＥ９３は１チップのＩＣで構成され、光源点灯部９２により光源９９が点灯されるのに同期してイメージセンサ９１からのアナログ信号をデジタル信号に変換して送信する。
【００５９】
ＡＦＥ９３内のサンプルホールド部９６は、イメージセンサ９１で読み取ったアナログ画像信号をサンプルホールドし、後段のＡＤ変換部９５に出力する。ＡＤ変換部９５はサンプルホールド部９６からのアナログ信号をデジタル信号に変換する。画像送信部９４は、１ライン分のデジタル画像データを送信する。タイミング制御部９８は、光源点灯部９２、イメージセンサ９１、サンプルホールド部９６、ＡＤ変換部９５へそれぞれタイミング信号を出力する。具体的には、光源点灯部９２へは点灯信号を出力し、イメージセンサ９１には１ライン読み取りのスタート信号を出力し、サンプルホールド部９６へはサンプルホールドタイミングを出力し、ＡＤ変換部９５へはＡＤ変換タイミングを出力する。通信ＩＦ部９７は、受け取ったタイミング情報をタイミング制御部９８に通知する。
【００６０】
低電力制御部１００は、ＡＦＥ９３を低電力モード（低電力状態）へ移行させたり、通常モード（通常状態）へ復帰させたり制御する。通信ＩＦ部９７が低電力モードへの移行指示を受け取ると、低電力制御部１００はサンプルホールド部９６、ＡＤ変換部９５、画像送信部９４への電力を遮断したり動作クロックを停止したりしてＡＦＥ９３の消費電力を最小限に抑える。低電力モードにしてもＡＦＥ９３への電源は供給されているため、タイミング制御部９８に設定されているタイミング情報は保持される。そのため、通信ＩＦ部９７から低電力モードからの復帰を指示された後に再度タイミング情報を設定する必要は無く、すぐに原稿の読み取りを開始できる。
【００６１】
画像読取ユニット７０にある温度センサ１０１は、基板７４上でＡＦＥ９３付近に配置されており、ＡＦＥ９３付近の温度上昇を測定可能になっている。一例として、ＡＦＥ９３に直に当接するように基板７４とは異なる基板上などに配置されても良い。
【００６２】
＜搬送面から見た画像読取ユニット周辺の説明＞
図７を参照して搬送面から見た画像読取ユニット７０周辺を説明し、ＡＦＥ９３の温度上昇を抑える構成を説明する。
【００６３】
画像読取ユニット７０は搬送面にコンタクトガラス７１がある。ＡＦＥ９３の発熱は読取センサ６９内を介してコンタクトガラス７１に伝導し、搬送面まで熱が伝わる。コンタクトガラス７１の搬送方向上流側には駆動ローラ２１、下流側には駆動ローラ３１がある。駆動ローラ２１、３１は搬送方向に直交する方向に２つに分割し、それぞれ駆動ローラ軸２３、３３と一体となっている。駆動ローラ２１、３１を２つに分割することにより、原稿先端の駆動ローラ２１への噛み込みが不均一だった場合に原稿に皺ができるのを防止できる。また、駆動ローラ２１については原稿検出センサ５０、６０を駆動ローラ２１の分割された間に配置することができるため、装置全体の小型化に寄与できる。
【００６４】
原稿を搬送するためには、少なくとも原稿の一部に駆動ローラ２１、３１が重複していることと、原稿検出センサ５０、６０位置を原稿が通過する必要がある。図７では駆動ローラ２１、３１は分割されているため、原稿をより安定して搬送するためには分割された両方のローラに原稿が重複しているのが望ましい。よって、搬送可能な最小幅の原稿は図７で図示した最小原稿通過領域を通過することになる。どのようなサイズの原稿を搬送してもこの最小原稿通過領域を必ず通過する。最小原稿通過領域は主走査方向の中央位置となるようにしている。原稿が主走査方向中央位置を必ず通過するようにすることで、多様なサイズの原稿を搬送することができる。
【００６５】
ＡＦＥ９３も同様に最小原稿通過領域と同じ主走査方向中心に配置される。これにより、搬送面に伝わったＡＦＥ９３の熱が搬送される原稿によって冷却され、コンタクトガラス７１の温度上昇を抑え、結果としてＡＦＥ９３の温度上昇も効率良く抑えられる。
【００６６】
駆動ローラ２１、３１及び従動ローラ２２、３２は、図３や図７に示すように、画像読取ユニット７０（またはコンタクトガラス７１）に近接させて配置している。具体的には、駆動ローラ２１と従動ローラ２２とを画像読取ユニット７０の上流側近傍に、駆動ローラ３１と従動ローラ３２とを画像読取ユニット７０の下流側近傍に配置している。これにより、駆動ローラ２１、３１による回転によって従動ローラ２２、３２も回転する。これら４つのローラが回転することで画像読取ユニット７０（７０ａ、７０ｂ）の周囲の空気を撹拌でき、画像読取ユニット７０の内部の温度上昇を抑える効果がある。
【００６７】
すなわち、画像読取装置で搬送できる最小幅の原稿が通過する最小原稿通過領域近傍にＡＦＥを配置することで、どのようなサイズの原稿が搬送されても必ずＡＦＥ近傍を通過することになり、ＡＦＥの温度上昇をより効率的に抑えることができる。特に、最小幅の原稿が通過する最小原稿通過領域に重なる位置にＡＦＥが配置されていると良いが、熱が伝達する原稿の主走査方向に対する熱伝導を考慮し、本実施形態のように、最小原稿通過領域が主走査方向の中心を含むようにし、ＡＦＥを主走査方向の中心に配置していることが最も好ましい。
【００６８】
最小原稿通過領域を主走査方向の中央を含むようにすることで、主走査方向の両方向に均一に熱が拡散するため、熱による受光素子の特性の変化が均一化して画像への影響を小さくできる。
【００６９】
駆動ロ−ラ２１、３１及び従動ロ−ラ２２、３２は、図３や図７に示すように、画像読取ユニット７０（またはコンタクトガラス７１）に近接させて配置している。具体的には、駆動ロ−ラ２１と従動ロ−ラ２２とを画像読取ユニット７０の上流側近傍に、駆動ロ−ラ３１と従動ロ−ラ３２とを画像読取ユニット７０の下流側近傍に配置している。これにより、駆動ロ−ラ２１、３１による回転によって従動ロ−ラ２２、３２も回転する。これら４つのロ−ラが回転することで画像読取ユニット７０（７０ａ、７０ｂ）の周囲の空気を撹拌でき、画像読取ユニット７０の内部の温度上昇を抑える効果がある。
【００７０】
ＡＦＥ９３の温度上昇を抑える効果を、図８を参照して説明する。図８には、基板７４とその主走査方向の位置に対応するコンタクトガラス７１の搬送面の温度分布を示している。横軸はコンタクトガラス７１の主走査方向の位置を表し、左側端部を原点とした距離で表している。縦軸はコンタクトガラス７１の搬送面側の温度である。主走査方向距離の中心は主走査方向中央とし、ここと同位置の基板７４上にＡＦＥ９３がある。点線のグラフは原稿を搬送していない場合を仮定した温度分布である。最も温度が高いのは主走査方向中央にあるＡＦＥ９３の位置である。ＡＦＥ９３の発熱は基板７４にも拡散するため、ＡＦＥ９３から少し離れても比較的温度が高くなっている。また、イメージセンサ９１も発熱があり、主走査方向全体の温度を一律上昇させる要因になっている。光源点灯部９２及び光源９９も発熱するため、基板７４の左端部よりも右端部の方が少し温度は高くなっている。
【００７１】
図８の温度分布のうち実線のグラフは、装置で搬送できる最小幅の原稿を搬送した場合である。原稿を搬送することで図８での最小原稿通過領域の範囲で温度を低下させる効果がある。また、図８での２つの駆動ローラ領域では、駆動ローラ２１、３１と従動ローラ２２、３２が回転することにより温度を低下させる効果がある。これら２つの効果により、コンタクトガラス７１のピーク温度が低減できている。これにより、読取センサ６９全体の温度上昇が抑えられ、結果としてＡＦＥ９３の温度上昇も抑えることができる。
【００７２】
まとめると、読取手段の上流側近傍と下流側近傍にそれぞれ搬送ロ−ラの一例である駆動ロ−ラを配置し、その搬送ロ−ラが最小原稿通過領域を含むことで、最小幅の原稿を搬送できるようにしつつ、搬送ロ−ラの回転によって読取手段周辺の空気を拡散して温度を低下させ、ＡＦＥの温度上昇を抑えることができる。
【００７３】
本実施の形態では、ＡＦＥ９３を主走査方向中央に配置したが、中央以外に配置してもよい。最小原稿通過領域が主走査方向中央にある場合、ＡＦＥ９３を最小原稿通過領域と一部だけでも重なる位置に配置すれば中央に配置しなくても温度上昇を抑える効果は得られる。また、最小原稿通過領域が主走査方向中央ではなく、他の位置にあってもよい。例えば、搬送面の中央ではなく片側に寄せて搬送する画像読取装置では、最小原稿通過領域は主走査方向の片側端部になる。その場合はＡＦＥ９３を中央ではなく片側端部にある最小原稿通過領域近傍に配置することで温度上昇を抑える効果が得られる。
【００７４】
本実施の形態では、駆動ローラ２１、３１を２つに分割して配置していたが、分割しなくても良いし、３つ以上に分割しても構わない。２つに分割した場合の効果は上述の通りであるが、分割しない場合、主走査方向中央にもローラを配置することができ、ＡＦＥ９３の温度上昇を抑える効果がより高まる。また３つ以上に分割する場合も２つに分割する場合と同様である。
【００７５】
本実施の形態では、ＡＦＥ９３を１チップのＩＣで構成しているが、複数のＩＣで構成してもよい。例えば、画像送信部９４のみを１つのＩＣに独立させても良いし、ＡＤ変換部９５を独立させてもよい。
【００７６】
（実施例２）
実施例２では、実施例１に加えて搬送路の一部に金属部材を用い、ＡＦＥ９３の近傍まで延伸させて、ＡＦＥ９３の温度上昇を抑える効果を高めている。実施例２では実施例１と同じ構成の説明は省略し、異なる部分について説明する。
【００７７】
図９は本実施の形態に係る画像読取ユニット７０とその周辺の断面図である。図９は実施例１での図３に相当する図である。図９では画像読取ユニット７０ｂの読取ユニットカバー７２ｂに部分的に開口部を設け、基板７４ｂの搬送面とは反対側の面を一部むき出しにしている。むき出しになっている基板７４ｂの面に熱伝導部材７８を貼り付ける。画像読取ユニット７０ｂの上流側の搬送路には金属材料を使用した金属搬送路３４を設ける。さらに金属搬送路３４は画像読取ユニット７０ｂに沿って読取ユニットカバー７２ｂに設けた開口部を通してＡＦＥ９３近傍まで延伸させる。金属搬送路３４の金属面と基板７４ｂとの間には熱伝導部材７８を設け、ＡＦＥ９３ｂの発熱が伝わった基板７４ｂの熱を効率良く金属搬送路３４に伝導させる。金属搬送路３４の搬送面に近い部分にまで熱が伝導し、原稿を搬送すると、コンタクトガラス７１だけでなく金属搬送路３４の熱を拡散することができ、温度上昇を抑える効果が得られる。読取ユニットカバー７２は、フレーム部材の一例であり、光源９９により照射され原稿から反射する光以外が遮光されるように覆っている。
【００７８】
一方、画像読取ユニット７０ａには背景切替モータ７７があり、背景を切り替えるときに読取センサ６９ａを移動させる必要があるため、ＡＦＥ９３ａ近傍まで搬送路を延伸させたとしても基板７４ａに直接接触させることができない。しかし、画像読取ユニット７０ｂ側だけでも温度上昇を抑えることができれば、画像読取ユニット７０ａの温度上昇もある程度抑えることができる。画像読取ユニット７０ａは画像読取ユニット７０ｂの対向した位置にあるため、コンタクトガラス７１ａの熱は近接するコンタクトガラス７１ｂにも伝わって均一化する。よって、ＡＦＥ９３ｂの温度上昇を抑えることで、ＡＦＥ９３ａの温度もある程度抑えられる。
【００７９】
このようにＡＦＥ９３ａ近傍には金属部材を延伸させないため、画像読取ユニット７０ａの上流側の搬送路は金属部材ではなく樹脂部材を使った樹脂搬送路３５を設ける。樹脂材料を使うことで金属材料よりもコストダウンすることができる。
【００８０】
以上のようにしてＡＦＥ９３の発熱をより効率よく拡散し、温度上昇を抑えることができる。
【００８１】
本実施の形態では、ＡＦＥ９３ｂのみ近傍まで金属搬送路を延伸させたが、ＡＦＥ９３ａも同様にしてもよい。例えば、背景切替モータ７７を設けない場合、読取センサ６９ａは同じ位置に固定されるため、ＡＦＥ９３ａもＡＦＥ９３ｂと同様に近傍まで金属搬送路を延伸させて、ＡＦＥ９３ａの発熱を拡散させることができる。
【００８２】
搬送路の一部に金属面を有し、金属面がＡＦＥ近傍まで延伸することで、ＡＦＥの発熱が金属面を伝導して搬送路に拡散でき、そこを原稿が通過することで熱を拡散し、ＡＦＥの温度上昇を抑えることができる。
【００８３】
本実施の形態では、金属搬送路３４は搬送面付近からＡＦＥ近傍まで一体となった金属部材で構成したが、複数にわかれた金属部材を用いても良い。例えば、金属搬送路の金属部材を搬送面付近と画像読取ユニット付近とで分割されていてもよい。この分割された部分でも熱伝導を良くする必要があるが、金属部材同士が直接接触してもいいし、間に熱伝導部材を挟んでも良い。
【００８４】
（実施例３）  本実施例では、実施例１や実施例２の、読取センサを省電力モードで制御する点が異なり、その点について説明する。
【００８５】
本実施例は、載置台１に一度に積載できる枚数分の原稿束は最高のスループットを維持しつつ、原稿束を読み取る動作を開始してからの連続読取枚数（または連続読取時間）が所定枚数（または所定時間）に達した以降にウェイト時間を設定することで、載置台１の積載能力を超える枚数を連続して読み取ろうとしたときにはウェイト時間を設定してＡＦＥの温度上昇を抑えることができるものである。１枚の原稿を画像読取手段で読み取った後、次の原稿を給送するタイミングをウェイト時間だけ遅らせることで、原稿と原稿の間でＡＦＥを低電力モードに遷移する時間を作る。
【００８６】
図１０のフローチャートを用いて本実施例の動作を説明する。載置台１上に載置された複数枚の原稿束を連続して読み取る連続読取動作であるバッチスキャンモードについて説明する。
【００８７】
画像読取装置Ａに接続されたホストＰＣもしくは操作部１８３から原稿の読み取り開始が指示されると、制御部８０は載置台原稿検出センサ１１０により、載置台１に原稿が置かれているかどうかを検出する（ステップＳ４０２）。
【００８８】
載置台１に原稿が置かれていない場合（ステップＳ４０２  Ｎｏ）、ユーザーによって原稿が置かれるまで待機する。この時、表示パネル９０等に搬送原稿の載置を促すメッセージを表示してもよい。
【００８９】
載置台１に原稿が置かれている場合（ステップＳ４０２  Ｙｅｓ）、原稿を連続して読み取るバッチスキャンの初期化処理をする。まず、制御部８０は枚数カウンタをクリアする（ステップＳ４０３）。枚数カウンタは原稿を連続して搬送して読み取る枚数をカウントするカウンタである。画像読取装置Ａの待機状態では画像読取ユニット７０のＡＦＥ９３は低電力モードとなっており、画像を読み取るために通常モードに復帰させる（ステップＳ４０４）。
【００９０】
搬送モータを駆動し（ステップＳ４０５）、第２搬送部２０及び第３搬送部３０を動作させる。次に画像を読み取る準備をする（ステップＳ４０６）。背景切替モータ７７を駆動して読取センサ６９ａを背景色が白の位置に移動させ、背景板７６を読み取る。このデータを用いて原稿の画像を読み取った後の濃度調整にて基準データとして使用する。
【００９１】
次に、給紙モータ３を駆動し、原稿の給紙を開始する（ステップＳ４０７）。原稿の先端が原稿検出センサ５０に到達するまで待機する（ステップＳ４０８）。原稿検出センサ５０に原稿が到達したのを検知したら（ステップＳ４０８  Ｙｅｓ）、先行原稿の読み取りが終了しているかを確認する（ステップＳ４０９）。先行原稿が読取中の場合（ステップＳ４０９  Ｎｏ）、給紙モータ３を停止させて給紙動作を一時停止し（ステップＳ４１８）、先行原稿の読み取りが終わるまで待機する。先行原稿の読み取りが終了したら（ステップＳ４０９  Ｙｅｓ）、ステップＳ４１０に進む。ステップＳ４０９で給紙中の原稿がバッチスキャン１枚目の場合は先行原稿が無いのでステップＳ４０９でＹｅｓと判定してすぐにステップＳ４１０に進む。
【００９２】
次に、枚数カウンタが所定枚数未満かどうかを確認する（ステップＳ４１０）。ここで所定枚数とは、載置台１に原稿束Ｓを一度に積載可能な枚数とする。本実施形態においては、Ａ４サイズの原稿を８０枚積載可能なようになっている。枚数カウンタが所定枚数未満の場合には（ステップＳ４１０  Ｙｅｓ）、高いスループットを維持できるようにするため、原稿と原稿の間隔はできるだけ小さくする必要があるので、給紙動作を継続する（ステップＳ４１１）。ここで、ステップＳ４１８ですでに給紙動作を停止していた場合はステップＳ４１１で給紙動作を再開する。
【００９３】
ステップＳ４１０で枚数カウンタが所定枚数以上の場合（ステップＳ４１０  Ｎｏ）、載置台１上に一度に積載可能な原稿束Ｓの枚数を超えて連続スキャンすることになる。画像読取装置Ａでは載置台１に積載される原稿束Ｓの下面側の原稿から順に給紙していくため、給紙中であっても原稿束Ｓの上面側に原稿を追加することができるため、このような状況が起こり得る。
【００９４】
このような状況においては原稿を無制限に連続して読み取ることになり、実施例１や２のような態様であったとしても、ＡＦＥ９３の温度上昇が懸念される。そこでＡＦＥ９３の温度上昇を抑えるため、ＡＦＥ９３を低電力モードに移行する時間を設ける。そのために、まず、給紙動作を停止する（ステップＳ４１９）。ステップＳ４１８ですでに給紙動作を停止していた場合はＳ４１９では停止を維持する。
【００９５】
この時点で画像読取ユニット７０は原稿の読み取りをしていないので、ＡＦＥ９３を低電力モードに移行する（ステップＳ４２０）。このあと一定時間経過したら低電力モードから復帰させるために、低電力モードにいる時間をカウントするウェイト時間タイマーを初期化する（ステップＳ４２１）。ウェイト時間タイマーの初期化は、タイマーのカウント値を０クリアした後にカウントアップを開始し、タイマー値が設定値と一致するまで待機する（ステップＳ４２２  Ｎｏ）。ここで設定値はどの原稿も同じ所定時間に相当する値とし、どの原稿でも原稿と原稿の間隔を一定量広げるようにする。タイマー値が設定値以上になったら（ステップＳ４２２  Ｙｅｓ）、ＡＦＥ９３を低電力モードから通常モードに復帰させ（ステップＳ４２３）、給紙動作を再開する（ステップＳ４１１）。
【００９６】
なお、ステップＳ４１９からステップＳ４２３の処理の間、ステップＳ４０５で駆動した搬送モータ４は駆動したままにしている。これは、図３において搬送モータ４と連結される駆動ローラ２１、３１と、その回転で従動する従動ローラ２２、３２の４つのローラの回転により、画像読取ユニット７０の周囲の空気が拡散されて冷却される効果があるためである。
【００９７】
ここからはＡＦＥ９３を低電力モードに移行させた場合とそうでない場合とで共通の処理となる。給紙中の原稿が原稿検出センサ６０に到達するまで待機する（ステップＳ４１２  Ｎｏ）。原稿検出センサ６０で原稿を検出すると（ステップＳ４１２  Ｙｅｓ）、原稿は第２搬送部２０により搬送されるため、給紙動作を停止する（ステップＳ４１３）。その後、適切なタイミングで原稿の読み取りを開始し（ステップＳ４１４）、当該原稿が原稿検出センサ５０を抜けるまで読み取りを継続しながら待機する（ステップＳ４１５  Ｎｏ）。原稿の後端が原稿検出センサ５０を抜けると（ステップＳ４１５  Ｙｅｓ）、ステップＳ４１０の判定に用いる枚数カウンタを１カウントアップする（ステップＳ４１６）。
【００９８】
次に、載置台１上に次に給紙すべき原稿があれば（ステップＳ４１７  Ｙｅｓ）、給紙を開始し（ステップＳ４０７）、同様の処理を継続する。もし載置台１上に原稿がなければ（ステップＳ４１７  Ｎｏ）、バッチスキャン終了に向けた処理に移行する。先行する原稿の読み取りが終了するまで待機し（ステップＳ４２４  Ｎｏ）、読み取りが終了すると（ステップＳ４２４  Ｙｅｓ）、バッチスキャン終了後の待機中にＡＦＥ９３の温度上昇を抑えるためにＡＦＥ９３を低電力モードに移行する（ステップＳ４２５）。搬送中の原稿の後端が第３搬送部３０を抜けて原稿を排出トレイ２に排出するまで待機し（ステップＳ４２６  Ｎｏ）、排出を終えたら（ステップＳ４２６  Ｙｅｓ）、搬送モータ４を停止し（ステップＳ４２７）、バッチスキャンが終了となる（ステップＳ４２８）。
【００９９】
本実施の形態では、連続読取枚数が所定枚数以上となったらウェイト時間を設定するようにしたが、連続読取時間を条件としても良く、連続読取時間が所定時間以上となったときにウェイト時間を設定するようにしてもよい。また、連続読取枚数と連続読取時間の条件を組み合わせてウェイト時間を設定しても良い。例えば、画像読取装置では数ｍにも及ぶ長尺原稿などを読み取ることがあり、長尺原稿を連続して読み取る場合、読取枚数のみでは過度な温度上昇を防止できない可能性があるので、連続読取時間も条件に加えると温度上昇を防止できる。
【０１００】
本実施の形態では、連続読取枚数が所定枚数以上になったらすべての原稿に対してウェイト時間を設定しているが、一部の原稿に対してのみウェイト時間を設定してもよい。例えば、数枚のうち１枚にウェイト時間を設定してもよい。
【０１０１】
本実施の形態では、ＡＦＥを低電力モードにするために、給紙モータ３の動作を一時停止させて原稿と原稿の間隔を広げているが、給紙モータ３の給送速度を遅く制御することで原稿と原稿の間隔を広げてもよい。その場合、先行する原稿の後端が原稿検出センサ５０を抜けた後、給紙モータ３を遅い速度で駆動する。先行する原稿の読み取りが終了した後、ステップＳ４２０でＡＦＥを低電力モードに移行させるが、このときには、その前のステップＳ４１９で停止ではなく、遅い速度で給紙モータ３を駆動するため、原稿先端が原稿検出センサ６０に到達するまでは給紙モータ３を駆動し続けることになる。速度を遅くした分原稿検出センサ６０に到達するまでの時間が長くかかり、これが上記実施形態のステップ４２２でウェイト時間の間給紙を待機していた時間に相当するように設定すれば良い。これにより、給紙モータ３が停止する時間が短くなるため、画像読取装置Ａの給紙動作が急に停止したことによって、故障したとユーザーが誤解する可能性を低くすることができる。
【０１０２】
またそれらを組み合わせて、ＡＦＥを低電力モードにするために、給紙モータ３の動作を一時停止させた上で、給紙モータ３の給送速度を遅く制御することによって原稿と原稿の間隔を広げても良い。
【０１０３】
以上のように構成することによって、載置台１に一度に積載可能な枚数分は高いスループットを維持しつつ、積載可能な枚数を超えた過積載をしたり給紙中に無理に追加で積載したりした場合でもＡＦＥの温度上昇を抑えることができる。
【０１０４】
（実施例４）
ＡＦＥ９３の温度上昇を抑えるために、実施例３では原稿と原稿の間隔を一定量広げ、ＡＦＥ９３を低電力モードに移行している時間も一定となるように制御したが、本実施の形態では、原稿のサイズに応じて必要最小限の間隔を形成するように制御する。
【０１０５】
図３において、ＡＦＥ９３の発熱は、ＡＦＥ９３付近の読取ユニットフレーム７３を介してコンタクトガラス７１に伝わるため、コンタクトガラス７１の表面温度はＡＦＥ９３付近が局所的に上昇する。同時に、ＡＦＥ９３の熱は実装されている基板７４全体にも伝わるため、熱は基板７４全体から読取ユニットフレーム７３全体に伝わり、コンタクトガラス７１全体の温度が上昇する。よってコンタクトガラス７１表面の温度は全体的に上昇しつつ、ＡＦＥ９３付近が最も高くなるような温度分布になる。ここに原稿を搬送すると、原稿が通過した領域の空気が入れ替わり、コンタクトガラス７１の表面温度を低下させる効果がある。これは原稿長さが長く、原稿幅も広いほど効果が大きくなる。
【０１０６】
これを利用して、搬送する原稿サイズを検知し、サイズに応じて原稿と原稿の間隔を設定する。原稿長さは搬送方向の長さとし、原稿検出センサ５０、６０を用いて原稿長さを検出する。原稿検出センサ６０で原稿先端を検知してから原稿検出センサ５０で原稿後端を検知するまでの時間、第２搬送部２０における搬送速度、原稿検出センサ５０、６０の配置を元に原稿長さを算出する。
【０１０７】
原稿幅は主走査方向の幅とし、画像処理部８４で検出する。画像読取ユニット７０で１枚分の画像を読み取った後、画像処理部８４で主走査方向に１ラインごとに原稿端部の位置を検出する。原稿１枚分の原稿端部の位置を検出したら、原稿１枚の最大幅を原稿幅とする。すなわち、画像読取ユニット７０および画像処理部８４とを原稿幅検知手段として利用している。
【０１０８】
原稿長さと原稿幅の検知は本実施の形態の通りでなくても良い。例えば、原稿長さは、画像処理部８４にて原稿の先端と後端位置を検出しても良い。また、原稿幅は、主走査方向に１ラインごとに全てのラインで検出せずに間引いて行っても良いし、それらの最大幅ではなく平均としても良い。また、原稿検出センサ６０を主走査方向に複数個配置して原稿の検知状態によって検出しても良い。
【０１０９】
図１１は本実施例に係る画像読取装置Ａの動作フローを示すフローチャートである。実施例１と同様の処理については図１０と同じ符号を付記している。本実施例で用いる画像読取装置Ａの装置の構成、ブロック図は実施例３で用いたものと同様であるので説明は割愛する。
【０１１０】
本実施例では原稿サイズを検知する処理が追加になっている。搬送する原稿後端が原稿検出センサ５０を抜けた後（ステップＳ４１５  Ｙｅｓ）に原稿の搬送方向の長さを検出する（ステップＳ５０３）。また、原稿の読み取りを終了した後（ステップＳ４０９  Ｙｅｓ）に読み取った画像を元に原稿幅を検出する（ステップＳ５０２）。
【０１１１】
枚数カウンタが所定枚数以上になったとき（ステップＳ４１０  Ｎｏ）、原稿と原稿との間隔をウェイト時間だけ広げるよう制御するが、このウェイト時間を原稿長さと原稿幅から決める（ステップＳ５０４）。
【０１１２】
ウェイト時間は図１２のグラフを元に決定する。横軸は原稿幅、縦軸は原稿長さとし、原稿幅と原稿長さに対応するウェイト時間をｔとしてｔ＝０,１００,２００,・・・,１０００ [ｍｓｅｃ]となる境界それぞれを描いている。ウェイト時間は１００ｍｓｅｃ刻みで設定し、検出した原稿幅と原稿長さに対応するグラフ上の座標の一つ下の境界のウェイト時間を設定する。
【０１１３】
例えば、Ａ４サイズの原稿の場合、原稿幅２１０ｍｍ、長さ２９７ｍｍでｔ＝０以下の領域となるため、ウェイト時間は０ｍｓｅｃ、つまり原稿と原稿の間隔は広げる必要がない。Ａ５サイズの原稿も同様にウェイト時間は０ｍｓｅｃとなる。Ａ６サイズの原稿の場合、原稿幅１０５ｍｍ、長さ１４９ｍｍでｔ＝３００〜４００の領域になるためウェイト時間は４００ｍｓｅｃに設定する。最小原稿として原稿幅５０ｍｍ、長さ５０ｍｍの場合はｔ＝１０００ｍｓｅｃを設定する。
【０１１４】
このように、サイズが小さい原稿では画像読取ユニット７０の冷却効果が小さいため、原稿と原稿の間隔を広げてＡＦＥ９３を低電力モードにする時間ｔを長く取り、温度上昇を抑えるよう制御する。一方、Ａ４やＡ５サイズのようなある程度大きさのある原稿では、原稿による冷却効果のみで十分なため、ＡＦＥ９３を低電力モードにする必要がない。
【０１１５】
よって、サイズが大きい原稿では連続読取枚数が所定数を超えても最高のスループットを維持することができ、サイズが小さい原稿でも原稿と原稿の必要な間隔を必要最小限に抑えることができる。なお、上記実施例では定型紙の場合を説明したが、定型紙の場合には、スキャン設定等からの入力によって原稿サイズを検出する方法に代えても良い。定型紙以外の場合には、上述したように、各原稿検出センサや画像処理部を用いて原稿長さと原稿幅を検出すれば良い。
【０１１６】
本実施例では、原稿長さが同じ場合、原稿幅とウェイト時間の関係はｔ＝０以上で一定の勾配を持つように設定した。コンタクトガラス７１の温度上昇の分布が均一であれば図１２のように原稿幅が広くなるほど均一にウェイト時間を短くしていくのがよい。しかし、コンタクトガラス７１の温度分布が均一でなければ、温度分布に応じて設定するのが望ましい。画像読取ユニット７０においてはＡＦＥ９３の温度上昇が特に大きいため、ＡＦＥ９３付近のコンタクトガラス７１の温度が最も高くなりやすく、離れるほど温度が低くなる。
【０１１７】
一例として、コンタクトガラス７１の中心付近の温度が最も高い場合（ＡＦＥ９３が中央付近に配置されている場合）には、ウェイト時間は図１４のように設定するのが望ましい。搬送される原稿は必ず中心付近を通過するが、原稿幅が小さくても最も温度の高い中心付近を通過することで温度を下げる効果が大きくなる。しかし、主走査方向の両端付近のコンタクトガラス７１の温度上昇は小さいため、原稿幅が広くなるほどウェイト時間の勾配を小さくする。
【０１１８】
また、本実施例では、原稿のサイズとして原稿長さと原稿幅に応じてウェイト時間を設定したが、原稿の通過位置（主走査方向の座標位置）も考慮してもよい。ＡＦＥ９３の位置が図１５の下部に示すように主走査方向の中心から離れた位置にある場合、コンタクトガラス７１の主走査方向の温度分布は図１５のようになり、温度が最も高い位置が中心位置とは異なる。
【０１１９】
原稿を正常に搬送するためには主走査方向の中心位置を原稿が通過する必要があるが、必ずしも原稿の中心と一致する必要はない。例えば、図１５の通紙領域Ａと通紙領域Ｂは同じ幅をもつ原稿を搬送させたときのコンタクトガラス７１上の通過位置であるが、ともに主走査方向中心位置を通過するため問題なく搬送できる。しかし、通紙領域Ｂの原稿は温度の最も高い位置を通過するため温度を下げる効果が大きいが、通紙領域Ａの原稿は温度の最も高い位置から外れているため温度を下げる効果が小さくなる。同じ原稿幅でも通過位置の違いで冷却効果に大きな差が生じることになる。そこで、主走査方向の通過位置に対応する温度分布を重み付けしてウェイト時間を設定するとよりウェイト時間を短縮することができる。
【０１２０】
本実施例では、搬送される原稿の長さと幅を検出して決定したウェイト時間は検出対象原稿に適用し、検出対象原稿の後端から次に給紙する原稿の先端の間の間隔を広げていた。そのウェイト時間はサイズの検出対象とした原稿以外の原稿に適用してもよい。例えば、原稿の画像を読み取り終えてから原稿幅の検出までに時間がかかる場合はサイズの検出対象とした原稿に対して適用することができない。その場合は、サイズの検出が完了した後に給紙を開始する原稿に対して適用すればよい。
【０１２１】
読み取る原稿の幅と長さを元にウェイト時間を設定することで、読取センサ位置を原稿が通過することで生じる冷却効果の度合いに応じた適切なウェイト時間が設定できるため、スループットの低下を最低限に抑えながらＡＦＥ９３の温度上昇を抑えることができる。
【０１２２】
（実施例５）
ウェイト時間の設定について、実施例３では固定の所定時間とし、実施例４では原稿サイズに応じて決定するようにした。実施例５では実施例３と同様に固定の所定時間とするが、ウェイト時間を設定するタイミングを画像読取ユニット７０に設けた温度センサで検知する温度に応じて設定するようにする。
【０１２３】
画像読取ユニット７０にある温度センサ１０１は、基板７４上でＡＦＥ９３付近に配置していおり、図５にその配置の一例を示す。図１３は実施例５に係る画像読取装置Ａの動作フローを示すフローチャートである。実施例３と同様の処理については図１０と同じ符号を付記している。本実施例で用いる画像読取装置Ａの装置の構成、ブロック図は実施例３で用いたものと同様であるので説明は割愛する。
【０１２４】
本実施例では、画像読取ユニット７０の温度センサ１０１により温度を検出する処理と、その温度に応じてウェイト時間を設定する処理を追加している。
【０１２５】
まず、バッチスキャン開始時に、ウェイト時間設定をクリアする（ステップＳ６０２）。このウェイト時間は、連続読取枚数をカウントしている枚数カウンタが所定枚数未満のとき（ステップＳ４１０  Ｙｅｓ）には使用しないので、少なくとも所定枚数未満のときの画像読取装置Ａは最高のスループットを維持できる。
【０１２６】
枚数カウンタが所定枚数以上となったとき（ステップＳ４１０  Ｎｏ）、ウェイト時間が未設定かどうか判定する（ステップＳ６０３）。バッチスキャン毎に初めてステップＳ６０３に移行したときにはステップＳ６０２でウェイト時間設定をクリアしているため、ステップＳ６０３でＹｅｓとなる。ウェイト時間が未設定の場合（ステップＳ６０３  Ｙｅｓ）、温度センサ１０１の温度を検出し（ステップＳ６０４）、その温度が閾値以上かどうか判定する（ステップＳ６０５）。温度が閾値未満の場合（ステップＳ６０５  Ｙｅｓ）、まだ温度を下げる必要が無いため、通常の給紙動作に移行する（ステップＳ４１１）。読取センサの温度が閾値以上だった場合（ステップＳ６０５  Ｎｏ）、ウェイト時間を設定する（ステップＳ６０６）。ウェイト時間は固定の時間を用いる。ウェイト時間を設定したら給紙動作を停止し（ステップＳ４１９）、原稿と原稿の間隔を広げる制御をする。ステップＳ６０６でウェイト時間を設定したら、その後に搬送する原稿ではステップＳ６０３でウェイト時間設定済みと判定する（ステップＳ６０３  Ｎｏ）ため、一度でも温度が閾値を超えたらそれ以降の原稿では常に原稿と原稿の間隔をあけるように制御される。
【０１２７】
実施例４で示したように、Ａ５サイズ以上のようなサイズの大きい原稿ではＡＦＥ９３を低電力モードに移行させる必要がなく、サイズの小さい原稿のみで温度を下げる制御が必要であった。実施例５でも同様に、サイズの大きい原稿を搬送していれば、温度センサ１０１で検知する温度も高くなく、温度を下げる制御は必要ない。また、サイズの小さい原稿を搬送する場合でも連続スキャンの間隔が長ければ最高温度も高くならないため、温度を下げる制御は必要ない。但し、温度センサ１０１を用いると、周囲の環境温度等の影響等に関係なく実際の温度に応じた制御が可能となるため、好適である。
【０１２８】
以上のように、読取センサの温度を検出し、温度が閾値以上となったときのみウェイト時間を設定することで、スループットの低下を最小限に抑えることができる。
【０１２９】
なお、本実施例において、図１３に示す動作フローでは、一度温度センサ１０１による検出結果が閾値を超えた場合には以後の原稿についてウェイト時間設定済みと判定して常に原稿間隔を空けるように、送りローラ１１を停止や減速制御する給紙動作を行っているが、一度ウェイト時間を設定された後でも、ステップＳ６０３でＹｅｓに進み、ステップＳ６０４における温度検知を行い、温度が閾値を下回っている場合にはウェイト時間が未設定であると再設定しても良い。動作状態によっては一度温度上昇が起こっても再度温度が低下する可能性もあり、その場合にはスループットを向上するのに有効となる。例えば、様々なサイズの原稿を搬送する異種混載の原稿の画像を読み取る際に、始めのうちは小さい原稿を搬送してＡＦＥ９３の温度が上昇していった場合でも、後半に大きな原稿が続けば温度の低下が起こりやすくなる。
【０１３０】
また、本実施例においては、ウェイト時間として固定の時間を設定する例を説明したが、他の実施例として、温度センサ１０１と閾値との温度差に比例したウェイト時間を設定しても良い。この場合、何らかの理由で急激に温度上昇や温度の低下が起こった際に、適切なウェイト時間を設定することができ、スループットの向上と温度上昇の低減が可能となる。
【０１３１】
なお、ステップＳ４１３で給紙動作を停止した後の動作は、図１０に示すものと基本的な動作が同様であるため省略し、「２」から先のフローチャートとしては、図１０を援用する。すなわち、ステップＳ４１３の後は図１０に示すステップＳ４１４へ移行することになるが、本実施形態と実施例３との相違点としては、その後のステップＳ４１７で載置台１に原稿があると判定した場合には、図１３の「３’」に戻り、ステップＳ４０７に移行する点のみが異なる。
【０１３２】
上記各実施例では、ＡＦＥを最小原稿通過領域付近、特に中央部に配置することを説明したが、より具体的に説明すると、原稿が主走査方向の中央部に対して対称に通過するように構成し、読取センサ６９ａ、６９ｂに対して読取ユニットカバー７２の内部構造が同じものを用い、上下の読取センサ６９を図３に示すように回転対称に配置することが好ましい。このように配置することによって、ＡＦＥを図１５に示すように中央部から少しずらして配置した場合でも、主走査方向の中央部を搬送される原稿に対して、主走査方向への上下のＡＦＥのズレ量を同一にすることができ、対向する原稿に対する熱伝導を対称にすることができ、冷却効果を高めることができる。
【０１３３】
以上本発明の実施例に係る画像読取装置について説明したが、本発明は以上説明した実施例に限らず、本発明の主旨を逸脱しない範囲で種々の変更をすることが可能である。
【符号の説明】
【０１３４】
Ａ  画像読取装置
Ｓ  原稿束
Ｓ１  原稿
ＲＴ  経路
Ｄ１  搬送方向
１  載置台
２  排出トレイ
２ａ  第１排出トレイ
２ｂ  第２排出トレイ
２ｃ  第１ヒンジ
３  給紙モータ
４  搬送モータ
５  伝達部
１０  第１搬送部
１１  送りローラ
１２  分離ローラ
２０  第２搬送部
２１  駆動ローラ
２２  従動ローラ
２３  駆動ローラ軸
３０  第３搬送部
３１  駆動ローラ
３２  従動ローラ
３３  駆動ローラ軸
３４  金属搬送路
３５  樹脂搬送路
４０  重送検出センサ
５０、６０  原稿検出センサ
６８  電源制御部
６９（６９ａ、６９ｂ）  読取センサ
７０（７０ａ、７０ｂ）  画像読取ユニット
７１  コンタクトガラス
７２  読取ユニットカバー
７３  読取ユニットフレーム
７４  基板
７５  レンズアレイ
７６  背景板
７７  背景切替モータ
７８  熱伝導部材
８０  制御部
８４  画像処理部
８７、８８、８９  駆動制御部
９０  表示パネル
９１  イメージセンサ
９２  光源点灯部
９３  ＡＦＥ
９４  画像送信部
９５  ＡＤ変換部
９６  サンプルホールド部
９７  通信ＩＦ部
９８  タイミング制御部
９９  光源
１００  低電力制御部
１０２  コネクタ
１１０  載置台原稿検出センサ
１８１  画像メモリ
１８２  記憶部
１８３  操作部
１８４  通信部
【図１】
2018186459.tif 000003
【図２】
2018186459.tif 000004
【図３】
2018186459.tif 000005
【図４】
2018186459.tif 000006
【図５】
2018186459.tif 000007
【図６】
2018186459.tif 000008
【図７】
2018186459.tif 000009
【図８】
2018186459.tif 000010
【図９】
2018186459.tif 000011
【図１０】
2018186459.tif 000012
【図１１】
2018186459.tif 000013
【図１２】
2018186459.tif 000014
【図１３】
2018186459.tif 000015
【図１４】
2018186459.tif 000016
【図１５】
2018186459.tif 000017